(57)【要約】【課題】多用途に対応でき、開口部のスペースを有効に利用可能なキッチンシンクを提供する。【解決手段】凹部１６を有するキッチンシンク１０であって、前記凹部１６の内面の異なる高さの部位から突出して設けられた複数の段差部１８Ａ、１８Ｂを有し、前記段差部１８Ａ、１８Ｂは前記突出方向に対して略直交する方向に延在し、複数の前記段差部１８Ａ、１８Ｂのそれぞれは、突出方向に延在する平面部２０Ａ、２０Ｂを有し、当該平面部２０Ａ、２０Ｂの突出方向に沿った延在長さがそれぞれ異なるようにした。【選択図】      図１
2017025666.tif 000002
【特許請求の範囲】
【請求項１】
凹部を有するキッチンシンクであって、
前記凹部の内面の異なる高さの部位から突出して設けられた複数の段差部を有し、
前記段差部は、前記突出方向に対して略直交する方向に延在し、
複数の前記段差部のそれぞれは、突出方向に延在する平面部を有し、当該平面部の突出方向に沿った延在長さがそれぞれ異なることを特徴とするキッチンシンク。
【請求項２】
前記平面部の突出方向に沿った前記延在長さが長い方の前記段差部は、前記平面部の突出方向に沿った前記延在長さが短い方の前記段差部よりも高さ方向に沿って高い位置に設けられていることを特徴とする請求項１に記載のキッチンシンク。
【請求項３】
前記凹部は底部と側部を有し、前記底部と前記側部との境界部に傾斜部を有することを特徴とする請求項１又は２に記載のキッチンシンク。
【発明の詳細な説明】
【技術分野】
【０００１】
本発明は、システムキッチンの構成要素となり得るキッチンシンクに関する。
【背景技術】
【０００２】
従来のキッチンシンクには、その内面に段差部が設けられているタイプのものがある。この段差部を利用してプレート状部材を掛け渡し、例えばプレート状部材上の食材を切断する。これにより、キッチンシンクの開口部のスペースを作業場として有効に利用することができる。
【先行技術文献】
【特許文献】
【０００３】
【特許文献１】特開２０００−３４２３６０号公報
【特許文献２】特開平０８−６８０８７号公報
【発明の概要】
【発明が解決しようとする課題】
【０００４】
ところで、単に段差部にプレート状部材を掛け渡すだけの構成では、調理や作業の数が多くなる場合に、スペースが不足する問題が生じる。例えば、食材を切断したり、あるいは水切りプレートとして利用する場合には大きな加重あるいは圧力が発生するものの、単に食材や調理器具等を載置しておくだけの用途として利用する場合には概して大きな加重あるいは圧力は発生しない。
【０００５】
このような状況において、複数の用途に利用する場合の段差部の設計上の工夫がされておらず、また加重あるいは圧力の違いに基づいた段差部の設計上の工夫もされていない。このため、実用性に乏しいキッチンシンクであった。
【０００６】
そこで、本発明は、上記課題に鑑み、多用途に対応でき、開口部のスペースを有効に利用可能なキッチンシンクを提供することを目的とする。
【課題を解決するための手段】
【０００７】
第１の発明は、凹部を有するキッチンシンクであって、前記凹部の内面の異なる高さの部位から突出して設けられた複数の段差部を有し、前記段差部は、前記突出方向に対して略直交する方向に延在し、複数の前記段差部のそれぞれは、突出方向に延在する平面部を有し、当該平面部の突出方向に沿った延在長さがそれぞれ異なることを特徴とする。
【０００８】
第１の発明によれば、複数の段差部のそれぞれは、突出方向に延在する平面部を有し、当該平面部の突出方向に沿った延在長さがそれぞれ異なることにより、用途に最適な平面部が選択可能になる。そして、平面部に例えばプレート状部材を掛け渡すことにより、複数の用途に対応できるキッチンシンクになる。
【０００９】
第２の発明は、前記平面部の突出方向に沿った前記延在長さが長い方の前記段差部は、前記平面部の突出方向に沿った前記延在長さが短い方の前記段差部よりも高さ方向に沿って高い位置に設けられていることを特徴とする。
【００１０】
第２の発明によれば、平面部の突出方向に沿った延在長さが長い方の段差部は、平面部の突出方向に沿った延在長さが短い方の段差部よりも高さ方向に沿って高い位置に設けられていることにより、力作業が必要なときには上方の段差部を選択する。例えば、平面部にプレート状部材を掛け渡し、プレート状部材上に作業対象物を載せることにより、作業者の手に近い位置に作業対象物を位置させることができる。この結果、作業効率が向上する。また平面部の突出方向に沿った延在長さが短い方の段差部は下方に位置し、その平面部に例えばプレート状部材を掛け渡し、プレート状部材上に食器類や食材を載せることにより、食器類や食材を載置しておくための用途として利用できる。
【００１１】
第３の発明は、前記凹部は底部と側部を有し、前記底部と前記側部との境界部に傾斜部を有することを特徴とする。
【００１２】
第３の発明によれば、凹部は底部と側部を有し、底部と側部との境界部に傾斜部を有することにより、底部と側部との境界部が直角にならない。傾斜部には傾斜面を有しているため、傾斜面の清掃がし易くなり、キッチンシンクを清潔な状態で維持でき、ひいては製品寿命が向上し得る。
【発明の効果】
【００１３】
本発明によれば、多用途に対応でき、開口部のスペースを有効に利用可能なキッチンシンクを提供する。
【図面の簡単な説明】
【００１４】
【図１】本発明の一実施形態のキッチンシンクの斜視図である。
【図２】本発明の一実施形態のキッチンシンクの平面図である。
【図３】図２のＡ−Ａ間で切断した断面図である。
【発明を実施するための形態】
【００１５】
本発明の一実施形態に係るキッチンシンクについて、図面を参照して説明する。なお、本実施形態で説明した具体的な数値、寸法、材料、加工方法等については、あくまでも例示であり、本発明を限定するものではない。
【００１６】
図１乃至図３に示すように、キッチンシンク１０は、底部１２と、第１長辺部１４Ａと、第２長辺部１４Ｂと、第１短辺部１４Ｃと、第２短辺部１４Ｄと、が組み合わされて構成されている。各構成要素は例えば一体部材に形成され、各構成要素を折り曲げて組み合わしたものであるが、各構成要素を別部材にしてそれぞれ組み付けて構成してもよい。
【００１７】
なお、第１長辺部１４Ａ、第２長辺部１４Ｂ、第１短辺部１４Ｃおよび第２短辺部１４Ｄは、本発明の側部１４として機能する。
【００１８】
キッチンシンク１０は、第１長辺部１４Ａと第２長辺部１４Ｂとが相互に対向し、かつ第１短辺部１４Ｃと第２短辺部１４Ｄとが相互に対向しており、全体として凹部１６を構成している。
【００１９】
凹部１６の内面には、複数の段差部１８が形成されている。複数の段差部１８は、凹部１６の内面の異なる高さの部位から突出して設けられ、かつ前記突出方向（図１中矢印Ｙ方向）に対して略直交する方向（図１中矢印Ｘ方向）に延在している。
【００２０】
各段差部１８は、前記突出方向に延在する平面部２０を有している。当該平面部２０には、例えば、プレート状部材あるいはかご状部材などの何らかの部材が載置され得る。
【００２１】
なお、段差部１８は、例えば、第１長辺部１４Ａと第２長辺部１４Ｂの各内面の相対向する位置に形成されている。しかしながら、この構成に限らず、段差部１８は、例えば、第１短辺部１４Ｃと第２短辺部１４Ｄの各内面に相対向する位置に形成されていてもよく、各長辺部１４Ａ、１４Ｂと各短辺部１４Ｃ、１４Ｄの両方に形成されていてもよい。
【００２２】
ここで、段差部１８は、例えば、大きさが異なる２種類のものが設けられている。例えば、第１段差部１８Ａは、第１平面部２０Ａの突出方向（図１中矢印Ｙ方向）に沿った延在長さが長くなるように構成されている。第２段差部１８Ｂは、第２平面部２０Ｂの突出方向（図１中矢印Ｙ方向）に沿った延在長さが短くなるように設定されている。このため、第１段差部１８Ａの第１平面部２０Ａの平面上の面積が、第２段差部１８Ｂの第２平面部２０Ｂ上の面積よりも大きくなる。
【００２３】
図３に示すように、第１段差部１８Ａを構成する第１平面部２０Ａの突出方向に沿った延在長さをＬと、第２段差部１８Ｂを構成する第２平面部２０Ｂの突出方向に沿った延在長さをＭとすると、Ｌ＞Ｍの関係が成立する。
【００２４】
なお、第１長辺部１４Ａに形成された第１段差部１８Ａと第２長辺部１４Ｂに形成された第１段差部１８Ａとは、略同じ高さとなるように形成されている。同様にして、第１長辺部１４Ａに形成された第２段差部１８Ｂと第２長辺部１４Ｂに形成された第２段差部１８Ｂとは、略同じ高さとなるように形成されている。また、各段差部１８Ａ、１８Ｂが第１短辺部１４Ｃと第２短辺部１４Ｄに形成されている構成においても同様である。
【００２５】
第１平面部２０Ａの突出方向に沿った延在長さが長い第１段差部１８Ａが、第２平面部２０Ｂの突出方向に沿った延在長さが短い第２段差部１８Ｂよりも凹部１６の高さ方向（図３中矢印Ｚ方向）に沿って高い位置に形成されている。
【００２６】
凹部１６を構成する底部１２と第１長辺部１４Ａとの境界部、および凹部１６を構成する底部１２と第２長辺部１４Ｂとの境界部には、段差部１８の延在方向（図１中矢印Ｘ方向）に対して略平行に延在する傾斜部２２がそれぞれ形成されている。このため、底部１２と第１長辺部１４Ａとの境界部、および底部１２と第２長辺部１４Ｂとの境界部は、直角部が形成されていない。
【００２７】
特に、傾斜部２２は平面状の傾斜面２４を有しているため、傾斜部２２の掃除がし易くなる。このため、傾斜部２２をいつも清潔な状態に維持しておくことができる。これにより、キッチンシンク１０の製品寿命が向上する。
【００２８】
次に、本発明の一実施形態のキッチンシンク１０の作用について説明する。
【００２９】
図１乃至図３に示すように、複数の段差部１８のそれぞれは、突出方向（図１中矢印Ｙ方向）に延在する平面部２０を有し、当該平面部２０の突出方向（図１中矢印Ｙ方向）に沿った延在長さが異なることにより、用途に最適な平面部２０が選択可能になる。例えば、平面部２０にプレート状部材等の何らかの部材を掛け渡すことにより、プレート状部材に食材や食器類を載置でき、複数の用途に対応できるキッチンシンク１０になる。
【００３０】
特に、段差部１８の平面部２０上に載せたプレート状部材を段差部１８の延在方向（図１中矢印Ｘ方向）に沿ってスライドさせることにより、プレート状部材に載置させた物を移動させることができ、作業効率が向上する。また、複数の段差部１８を設けたことにより、それぞれ段差部１８に掛け渡される部材を異ならせることにより、複数の作業を同時に行うことができるキッチンシンク１０を提供できる。
【００３１】
複数の段差部１８を形成することにより、用途別に段差部１８を使い分けることが可能になる。これにより、例えば、洗浄前の食器類と洗浄後の食器類の位置を異ならせることも可能であり、作業効率が向上する。
【００３２】
第１平面部２０Ａの突出方向（図３中矢印Ｙ方向）に沿った延在長さが長い方の第１段差部１８Ａは、第２平面部２０Ｂの突出方向（図３中矢印Ｙ方向）に沿った延在長さが短い方の第２段差部１８Ｂよりも高さ方向（図３中矢印Ｚ方向）に沿って高い位置に設けられていることにより、力作業が必要なときには第１段差部１８Ａを選択する。これにより、第１段差部１８Ａの第１平面部２０Ａに例えばプレート状部材を掛け渡し、プレート状部材上に作業対象物を載せることにより、作業者の手に近い位置に作業対象物を位置させることができる。この結果、作業効率が向上する。
【００３３】
また、第２平面部２０Ｂの突出方向（図３中矢印Ｙ方向）に沿った延在長さが短い方の第２段差部１８Ｂは下方に位置し、第２平面部２０Ｂに例えばプレート状部材を掛け渡し、プレート状部材上に食器類や食材を載せることにより、食器類や食材を載置しておくための用途として利用できる。
【００３４】
凹部１６を構成する底部１２と第１長辺部１４Ａとの境界部、および底部１２と第２長辺部１４Ｂとの境界部には、段差部１８の延在方向（図１中矢印Ｘ方向）に対して略平行に延在する傾斜部２２が形成されているため、底部１２と各長辺部１４Ａ、１４Ｂとの境界部が直角にならない。傾斜部２２の傾斜面２４が平面であるため、清掃がし易くなり、キッチンシンク１０を清潔な状態で維持でき、ひいては製品寿命が向上し得る。
【００３５】
なお、凹部１６には２種類の段差部１８Ａ、１８Ｂを形成した構成を例示したが、２種類に限定されない。例えば、大きさや形状の異なる又は同じである３種類以上の段差部を形成してもよい。
【符号の説明】
【００３６】
１０      システムキッチン
１２      底部
１４      側部
１４Ａ    第１長辺部
１４Ｂ    第２長辺部
１４Ｃ    第１短辺部
１４Ｄ    第２短辺部
１６      凹部
１８      段差部
１８Ａ    第１段差部
１８Ｂ    第２段差部
２０      平面部
２０Ａ    第１平面部
２０Ｂ    第２平面部
２２      傾斜部
２４      傾斜面
【図１】
2017025666.tif 000003
【図２】
2017025666.tif 000004
【図３】
2017025666.tif 000005